(57)【要約】【構成】木造建築物の耐力壁となる内側構造用面材１００の片面に内側断熱層１０１を積層し、内側断熱層１０１に木造建築物の耐力壁となる外側構造用面材１０２を接合し、外側構造用面材１０２の片面に外側断熱層１０３を積層してなる複合パネル１及び当該複合パネル１を有してなる耐震性、断熱性及び気密性に優れた木造建築物の壁構造。【効果】簡単な施工により内外断熱気密構造が得られ、しかも、当該内断熱及び外断熱を同時に実現できるだけでなく、構造計算上優れた耐力壁が得られるので、耐震性にも優れた木造建築物の壁構造を構築できる。【選択図】図１
2005248567.tif 000002
【特許請求の範囲】
【請求項１】
木造建築物の耐力壁となる内側構造用面材の片面に内側断熱層を積層し、当該内側断熱層に木造建築物の耐力壁となる外側構造用面材を接合し、当該外側構造用面材の片面に外側断熱層を積層してなる複合パネルを有してなることを特徴とする耐震性、断熱性及び気密性に優れた木造建築物の壁構造。
【請求項２】
木造建築物の耐力壁となる内側構造用面材の片面に内側断熱層を積層し、当該内側断熱層に木造建築物の耐力壁となる外側構造用面材を接合し、当該外側構造用面材の片面に外側断熱層を積層してなることを特徴とする木造建築物用複合パネル。
【発明の詳細な説明】
【技術分野】
【０００１】
本発明は、耐震性、断熱性及び気密性に優れた木造建築物の壁構造及びそれに用いる複合パネルに関するものである。
【背景技術】
【０００２】
近年、地球環境の配慮から、省エネ住宅が益々脚光を浴びており、断熱性に優れ、その断熱性の向上のための気密性に優れていることが求められているが、こうした断熱（気密）構造の施工は、元々が、構造用面材と断熱材とが分離していて、別々の施工が必要である等作業効率が悪く、しかも、外断熱か内断熱に分かれており、外断熱工事、内断熱工事別々の施工が行われていて、極めて効率が悪いものであった。
一方、当該断熱性や気密性にある程度優れたものが得られても、断熱気密構造における構造材などが十分な耐力がないと、構造計算上十分な耐力を有しない耐力壁となってしまい、当該耐力の無さが、建物躯体に影響し、せっかくの断熱気密構造に変形を生じさせ、気密性や断熱性を損なうという事態を招くだけでなく、建物に剛性がないので、耐震性を欠如するという事態を招来することがある。
【発明の開示】
【発明が解決しようとする課題】
【０００３】
本発明は、前記のような問題点を解消することができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）木造建築物の耐力壁となる内側構造用面材の片面に内側断熱層を積層し、当該内側断熱層に木造建築物の耐力壁となる外側構造用面材を接合し、当該外側構造用面材の片面に外側断熱層を積層してなる複合パネルを有してなることを特徴とする耐震性、断熱性及び気密性に優れた木造建築物の壁構造。
（請求項２）木造建築物の耐力壁となる内側構造用面材の片面に内側断熱層を積層し、当該内側断熱層に木造建築物の耐力壁となる外側構造用面材を接合し、当該外側構造用面材の片面に外側断熱層を積層してなることを特徴とする木造建築物用複合パネル。
【発明の効果】
【０００５】
本発明によれば、簡単な施工により内外断熱気密構造が得られ、しかも、当該内断熱及び外断熱を同時に実現できるだけでなく、構造計算上優れた耐力壁が得られるので、耐震性にも優れた木造建築物の壁構造を構築できる。
【発明を実施するための最良の形態】
【０００６】
図２に示すように、複合パネル１は、木造建築物の耐力壁となる内側構造用面材１００と、内側断熱層１０１と、木造建築物の耐力壁となる外側構造用面材１０２と、外側断熱層１０３とを備えてなる。
図示のように、木造建築物の耐力壁となる内側構造用面材１００の片面に内側断熱層１０１を積層し、当該内側断熱層１０１に木造建築物の耐力壁となる外側構造用面材１０２を接合し、当該外側構造用面材１０２の片面に外側断熱層１０３を積層してなる。
上記の内側構造用面材１００や外側構造用面材１０２は、例えば、構造用合板からなる。
上記の内側断熱層１０１や外側断熱層１０３は、例えば、ポリエチレンフォームからなる。当該ポリエチレンフォームとしては、ビーズ法によるポリエチレンフォームが好ましい。ビーズ法によるポリエチレンフォームは、一つ一つの粒の中に独立した気泡構造を持った断熱建材で、水や湿気に強く、軽くて、加工性、施工性に優れ、その製法上金型による成形品のため自由な形に仕上げることができ、板、筒など様々な形態となし得る。
内側構造用面材１００の片面に内側断熱層１０１を積層し、当該内側断熱層１０１に外側構造用面材１０２を接合し、当該外側構造用面材１０２の片面に外側断熱層１０３を積層するのに、例えば、接着剤による接着によることができる。
当該複合パネル１は、建築現場でなく、工場で一貫生産することが可能である。
【０００７】
当該複合パネル１は、図１及び図３に示すように、例えば、１階が和室で、２階が洋室のような２階建て木造住宅の２階床組２とベランダ３との接合部であって、断熱性及び気密性を保持させることが難しく、又、耐震性が問題となる耐力壁構造において、家屋の内側から順次、木造建築物の耐力壁となる内側構造用面材１００、内側断熱層１０１、木造建築物の耐力壁となる外側構造用面材１０２及び外側断熱層１０３からなる複合パネル１を施工すればよい。
ベランダのような突出部分があって、２階床２と接合し、外部からの断熱性及び気密性が問題となり、又、木造の２階建てや３階建てとする際の耐震性が問題となる耐力壁構造において、内外の構造用面材１００、１０２と内外の断熱層１０１、１０３とが密着しており、一体化されていて、上記のように、複合パネル１を施工することにより、簡単な施工により内外断熱気密構造が得られ、しかも、当該内断熱及び外断熱を同時に実現できるだけでなく、内外の構造用面材１００、１０２による構造計算上優れた耐力壁が得られるので、耐震性にも優れた木造建築物の壁構造を構築できる。
本発明では、更に、次のようなより一層の気密・断熱性の向上が図られている。
図示のように、内側構造用面材１００の側面下部には、気密フイルム（シート）４を配設し、当該内側構造用面材１００と気密フイルム（シート）４との間は、通気層５となしてある。当該気密フイルム（シート）４は、例えば、フイルム或いはシート状に形成した発泡ポリエチレンにより構成される。
梁（横架材）６の下部には、同様の気密シート７として、例えば、ビニールクロスが貼付られている。
外側断熱層１０３の外部側には、その図示が省略されているが、透湿防水シート、通気胴縁、防火サイヂィングが施工され、当該複合パネル１の下部のサッシ窓８と当該外側断熱層１０３との間には、サッシ取合部分防水テープによる目張りがされている。
当該透湿防水シートは、例えば、防水性及び透湿性を兼ね備えた不織布などから構成される。
当該通気胴縁は、例えば、木材、合成樹脂により構成される。
当該防火サイヂィングは、防火性の外壁で、例えば、フェルトを裏打ちしたサイヂィングパネルにより構成される。
【０００８】
当該複合パネル１は、図１及び図４に示すように、天井・屋根部分にも適用できる。
図１及び図４に示すように、天井・屋根部分における耐力壁として、家屋の内側から順次、木造建築物の耐力壁となる内側構造用面材１００、内側断熱層１０１、木造建築物の耐力壁となる外側構造用面材１０２及び外側断熱層１０３からなる複合パネル１を施工すればよい。
図示のように、内側構造用面材１００の側面には、前記実施例と同様に、通気層５を介して気密フイルム（シート）４を配設している。当該気密フイルム（シート）４は、前記実施例と同様に、例えば、フイルム或いはシート状に形成した発泡ポリエチレンにより構成される。
天井には、前記実施例と同様に、気密シート７として、例えば、ビニールクロスが配設されている。
図示のように、屋根９は、例えば、合板などの気密断熱屋根パネル９００にポリウレタン等からなる断熱部材９０１を貼付した気密断熱構造が施工されている。
【０００９】
図１に示すように、土台１０の内側には、例えば、押出法ポリスチレンフォームよりなる断熱材１０００が施工され、断熱気密が図られている。
【００１０】
図５は、本発明の他の実施例で、当該気密断熱耐力壁は、家屋の内側から順次、木造建築物の耐力壁となる内側構造用面材１００、内側断熱層１０１、木造建築物の耐力壁となる外側構造用面材１０２及び外側断熱層１０３からなる複合パネル１を施工し、当該内側構造用面材１００の内部には、前記実施例と同様に、気密フイルム（シート）４を配設し、当該内側構造用面材１００と気密フイルム（シート）４との間は、通気層５となしてある。
又、当該外側断熱層１０３の外部側には、気密フイルム（シート）４を配設し、その内側では、通気胴縁１０と断熱スペーサー１１とをスクリュー釘１２にて結合し、又、その図示が省略されているが、透湿防水シート、防火サイヂィングを施工し、当該複合パネル１の下部の断熱スペーサー１１とサッシ窓８との間には、サッシ取合部分防水テープ１３による目張りがされている。
上記の内側構造用面材１００や外側構造用面材１０２は、例えば、構造用合板からなる。
上記の内側断熱層１０１や外側断熱層１０３は、例えば、ポリエチレンフォームからなる。当該ポリエチレンフォームとしては、前述のような、ビーズ法によるポリエチレンフォームが好ましい。
当該気密フイルム（シート）４は、例えば、フイルム或いはシート状に形成した発泡ポリエチレンにより構成される。
当該通気胴縁１０は、例えば、木材、合成樹脂により構成される。
当該断熱スペーサー１１は、例えば、発泡合成樹脂により構成される。
当該透湿防水シートは、例えば、防水性及び透湿性を兼ね備えた不織布などから構成される。
当該防火サイヂィングは、防火性の外壁で、例えば、フェルトを裏打ちしたサイディングパネルにより構成される。
【産業上の利用可能性】
【００１１】
本発明は、木造家屋の壁構造全般に適用できる。
【図面の簡単な説明】
【００１２】
【図１】本発明の実施例を示す木造建築物の構成図である。
【図２】本発明の実施例を示す複合パネルの断面図である。
【図３】本発明の実施例を示すベランダと２階床との接合部における耐力壁の断面図である。
【図４】本発明の実施例を示す天井・屋根部分の耐力壁の断面図である。
【図５】本発明の他の実施例を示す断面図である。
【符号の説明】
【００１３】
１    複合パネル
１００    木造建築物の耐力壁となる内側構造用面材
１０１    内側断熱層
１０２    木造建築物の耐力壁となる外側構造用面材
１０３    外側断熱層
【図１】
2005248567.tif 000003
【図２】
2005248567.tif 000004
【図３】
2005248567.tif 000005
【図４】
2005248567.tif 000006
【図５】
2005248567.tif 000007